(57)【要約】      （修正有）【課題】特定キーワードに基づいて提供される広告の状態、広告費用、商品の広告状態、商品評価内容を自動的に抽出することにより、適切な評価を得ることができる方法を提供する。【解決手段】インターネット１２０に接続されたキーワード広告監視／分析システム１００は、検索サイトサーバ１１０と、サービスサーバ１５０及び広告主端末機１３０を備える。広告主端末機１３０は、入力された特定キーワードをサービスサーバ１５０へ伝送する。検索サイトサーバ１１０は、キーワードが入力されると、画面に表示される広告の広告費用または期間などを検索及び抽出する。サービスサーバ１５０は、検索サイトサーバ１１０に入力されたキーワードに基づいて構成されたデータベースから抽出した結果画面を、広告主端末機１３０へ伝送する。【選択図】図２
2008186442.tif 000002
【特許請求の範囲】
【請求項１】
インターネットで連結された検索サイトサーバと、サービスサーバと、広告主端末機とから成るシステムにおいて、
前記広告主端末機は、広告主によって管理され、広告主から特定キーワードが入力されると前記サービスサーバへ特定キーワードを伝送して、特定キーワードと関連した情報を受けて表示し、前記サービスサーバに特定キーワードに関する掲示文登録代行を要請し、
前記検索サイトサーバは、特定位置にキーワードを入力することができるキーワード入力窓が形成されたサイト画面をインターネットでアップデートし、前記キーワード入力窓に入力された特定キーワードに対する文書およびサイトの情報の他に前記特定キーワードと関連した広告主の情報と、前記サイト画面に表示される広告の広告費用、期間および位置情報、前記特定キーワードに対する広告、ニュースおよび掲示板掲示文を検索および抽出して表示し、サービスサーバへ伝送し、
前記サービスサーバは、前記検索サイトサーバのキーワード入力窓にキーワードを入力した結果を受信して格納し、データベースを構成し、前記広告主端末機の要請によりデータベースから結果画面を構成して、前記広告主端末機へ伝送することを特徴とするキーワード広告監視/分析システム。
【請求項２】
前記サービスサーバのデータベースは、
検索サイトを表す検索サイト識別コード、キーワードを表すキーワード識別コード、前記キーワードに関する広告現況を表す広告現況識別コード、前記キーワードに関するニュース資料を表すニュース資料識別コード、前記キーワードを含む内容が含まれた文が介在される掲示板種類を表す掲示板種類識別コードおよび前記キーワードを含む内容が含まれた文のホームページ住所を表す掲示板資料識別コード、前記キーワードと関連した意味を持つ類似キーワードを表す類似キーワード連結コード、前記キーワードを含む内容が含まれた文に対して、広告主が準備したコンテンツ資料を表す広告主返答文コードの中、いずれか一つ以上を含んで構成されることを特徴とする請求項１に記載のキーワード監視/分析システム。
【請求項３】
前記サービスサーバのデータベースは、
検索サイトを表す検索サイト識別コード、キーワードを表すキーワード識別コード、広告の種類を表す広告種類識別コード、広告可能か否かを表す広告可能如何識別コード、広告可能期間を表す広告可能期間識別コード、広告価格を表す広告価格情報識別コード、前記キーワードと関連した意味を持つ類似キーワードを表す類似キーワード連結コードおよび前記キーワードまたは類似キーワードで前記検索サイトサーバに広告中の競争会社の広告現況を表す競争会社広告現況データの中、いずれか一つ以上を含んで構成することを特徴とする請求項１に記載のキーワード広告監視/分析システム。
【請求項４】
インターネットで連結された検索サイトサーバと、サービスサーバと、広告主端末機とから成るキーワード広告監視/分析システムを用いたキーワード広告分析方法において、
（ａ）前記サービスサーバが前記検索サイトサーバに接続して、前記検索サイトサーバのサイト画面に形成されたキーワード入力窓に特定キーワードを入力すると、前記入力された特定キーワードを用いて、特定キーワードに関連した結果画面を受信し、資料を収集する資料収集段階と、
（ｂ）前記サービスサーバによって、前記（ａ）段階で収集された資料をサービスサーバのデータベースに特定キーワード別に格納する資料データベース化段階と、
（ｃ）前記広告主端末機から特定キーワードによる広告情報要請信号が受信されると、前記サービスサーバは、受信された特定キーワードを用いて、前記（ｂ）段階で特定キーワード別に格納された広告情報を検索および組み合わせて、前記広告主端末機へ伝送する資料提供段階と、
（ｄ）前記広告主端末機が前記検索サイトサーバに特定キーワードによる表示する広告を申し込むと、前記サービスサーバは、特定キーワードによる広告を前記検索サイトサーバに接続して広告を申し込む広告申請段階と、を含むことを特徴とするキーワード広告分析方法。
【請求項５】
前記（ｄ）段階は、
（ｅ）前記（ｄ）段階を遂行した後、前記広告主端末機が前記サービスサーバに競争会社の広告現況の提供を受ける管理段階を更に含むことを特徴とする請求項４に記載のキーワード広告分析方法。
【請求項６】
前記（ａ）段階は、
（ａ-１）前記サービスサーバが前記検索サイトサーバで提供する検索サイトに接続する段階と、
（ａ−２）前記サービスサーバが前記検索サイトのキーワード入力窓に特定キーワードを入力する段階と、
（ａ−３）前記サービスサーバが前記検索サイトで検索した特定キーワード関連広告情報を受信して格納する段階と、を含むことを特徴とする請求項４に記載のキーワード広告分析方法。
【請求項７】
前記（ａ−３）段階は、
（ａ−４）前記（ａ−３）段階を遂行した後、前記サービスサーバが、前記（ａ−２）段階で入力した特定キーワードの類似キーワードを検索するかを調査して、類似キーワードを検索する場合、前記（ａ−２）段階に復帰し、類似キーワードを検索しない場合、終了する段階を更に含むことを特徴とする請求項６に記載のキーワード広告分析方法。
【請求項８】
前記（ｂ）段階は、
検索サイトを表す検索サイト識別コード、キーワードを表すキーワード識別コード、広告の種類を表す広告種類識別コード、広告可能か否かを表す広告可能如何識別コード、広告可能期間を表す広告可能期間識別コード、広告価格を表す広告価格情報識別コードおよび前記キーワードと関連した意味を持つ類似キーワードを表す類似キーワード連結コードの中、いずれか一つ以上を含んで、データベースが構成されることを特徴とする請求項４に記載のキーワード広告分析方法。
【請求項９】
前記（ｃ）段階は、
（ｃ−１）前記サービスサーバが前記広告主端末機によって要請された結果画面があるかを調査する段階と、
（ｃ−２）前記広告主端末機によって要請された結果画面がある場合、データベースから抽出した結果画面を広告主端末機へ伝送する段階と、を含むことを特徴とする請求項４に記載のキーワード広告分析方法。
【請求項１０】
前記（ｃ−１）段階は、
（ｃ−１１）前記広告主端末機によって要請された結果画面がない場合、サービスサーバが前記広告主端末機によって要請された結果画面を構成した後、前記（ｃ−２）段階に移動する段階を更に含むことを特徴とする請求項９に記載のキーワード広告分析方法。
【請求項１１】
前記（ｃ−２）段階は、
（ｃ−３）前記広告主端末機から追加資料要請があるかを調査する段階と、
（ｃ−４）追加資料要請がある場合、データベースに要請された追加資料が格納されているかを調査する段階と、
（ｃ−５）要請された追加資料が格納されている場合、データベースから格納された追加資料を抽出して結果画面を構成し、広告主端末機へ伝送する段階と、を更に含むことを特徴とする請求項９に記載のキーワード広告分析方法。
【請求項１２】
前記（ｃ−４）段階は、
（ｃ−４１）要請された追加資料が格納されていなかった場合、検索サイトサーバに接続して要請された資料を収集し、前記（ｃ−５）段階に移動する段階を更に含むことを特徴とする請求項１１に記載のキーワード広告分析方法。
【請求項１３】
前記（ｄ）段階は、
（ｄ−１）前記広告主端末機から広告申請要請があるかを調査する段階と、
（ｄ−２）前記広告主端末機から広告種類の選択を受信する段階と、
（ｄ−３）前記（ｄ−２）段階で選択された広告に対する費用を算出して、前記広告主端末機へ伝送する段階と、
（ｄ−４）前記広告主端末機から広告申請承認を受信する段階と、
（ｄ−５）前記検索サイトサーバへ広告申請情報を伝送する５段階と、を含むことを特徴とする請求項４に記載のキーワード広告分析方法。
【請求項１４】
前記（ｄ−１）段階は、
（ｄ−１１）前記（ｄ−２）段階を遂行する前に、前記広告主端末機から類似キーワード広告もするかを調査する段階と、
（ｄ−１２）前記広告主端末機で類似キーワード広告をすると選択する場合、類似キーワードを前記広告主端末機に提示し、類似キーワード広告をしないことと選択する場合、前記  （ｄ−２）段階に移動する段階と、
（ｄ−１３）前記広告主端末機から類似キーワード選択を受けて、前記（ｄ−２）段階に移動する段階と、を更に含むことを特徴とする請求項１３に記載のキーワード広告分析方法。
【請求項１５】
前記（ｅ）段階は、
（ｅ−１）前記広告主端末機から競争会社広告現況提供要請があるかを調査する段階と、
（ｅ−２）競争会社広告現況提供要請が存在する場合、前記広告主端末機で競争会社広告現況を提供する段階と、を含むことを特徴とする請求項４に記載のキーワード広告分析方法。
【請求項１６】
前記（ｅ−２）段階は、
（ｅ−３）前記（ｅ−２）段階を遂行した以後、前記広告主端末機から競争会社と広告競争をするかを調査する段階と、
（ｅ−４）競争会社と広告競争をすることを受信した場合、前記広告主端末機から広告費用限界設定を受信し、前記（ｄ）段階に復帰する段階と、を更に含むことを特徴とする請求項１５に記載のキーワード広告分析方法。
【請求項１７】
前記（ｅ−３）段階は、
（ｅ−４）前記（ｅ−３）段階を遂行した以後、前記広告主端末機から広告効果提供要請があるかを調査する段階と、
（ｅ−５）前記（ｅ−４）段階で広告効果提供要請が存在する場合、広告効果結果画面を生成して前記広告主端末機へ伝送する段階と、を更に含むことを特徴とする請求項１６に記載のキーワード広告分析方法。
【請求項１８】
インターネットで連結された検索サイトサーバと、サービスサーバと、広告主端末機とから成るキーワード広告分析システムを用いたキーワード監視方法において、
（Ａ）前記サービスサーバが前記検索サイトサーバに接続して、前記検索サイトサーバのサイト画面に形成されたキーワード入力窓に特定キーワードを入力し、結果画面を受信して資料を収集する資料収集段階と、
（Ｂ）前記（Ａ）段階で収集された資料をデータベースとして構成する資料データベース化段階と、
（Ｃ）前記広告主端末機の要請により、前記（Ｂ）段階で構成されたデータベースの資料を加工して提供する資料提供段階と、
（Ｄ）前記広告主端末機が前記サービスサーバを介して前記キーワードを含んだ掲示板に返答文を登録する返答文登録段階と、を含むことを特徴とするキーワード監視方法。
【請求項１９】
前記（Ｄ）段階は、
（Ｅ）前記（Ｄ）段階を遂行した後、前記広告主端末機が前記サービスサーバに広告効果結果の提供を受ける管理段階を更に含むことを特徴とする請求項１８に記載のキーワード監視方法。
【請求項２０】
前記（Ａ）段階は、
（Ａ−１）前記サービスサーバが前記検索サイトサーバで提供する検索サイトに接続する段階と、
（Ａ−２）前記サービスサーバが前記検索サイトのキーワード入力窓に特定キーワードを入力する段階と、
（Ａ−３）前記サービスサーバが前記検索サイトで検索した特定キーワード関連広告情報を受信して格納する段階と、を含むことを特徴とする請求項１８に記載のキーワード監視方法。
【請求項２１】
前記（Ａ−３）段階は、
（Ａ−４）前記（Ａ−３）段階を遂行した後、前記サービスサーバが前記（Ａ−２）段階で入力した特定キーワードの類似キーワードを検索するかを調査して、類似キーワードを検索する場合、前記（Ａ−２）段階に復帰し、類似キーワードを検索しない場合、終了する段階を更に含むことを特徴とする請求項２０に記載のキーワード監視方法。
【請求項２２】
前記（Ｂ）段階は、
検索サイトを表す検索サイト識別コード、キーワードを表すキーワード識別コード、前記キーワードに関する広告現況を表す広告現況識別コード、前記キーワードに関するニュース資料を表すニュース資料識別コード、前記キーワードを含む内容が含まれた文が介在される掲示板種類を表す掲示板種類識別コード、前記キーワードを含む内容が含まれた文のホームページ住所を表す掲示板資料識別コード、前記キーワードと関連した意味を持つ類似キーワードを表す類似キーワード連結コードおよび前記キーワードを含む内容が含まれた文に対して広告主が準備したコンテンツ資料を表す広告主返答文コードの中、いずれか一つ以上を含んでデータベースを構成することを特徴とする請求項１８に記載のキーワード監視方法。
【請求項２３】
前記（Ｃ）段階は、
（Ｃ−１）前記サービスサーバが前記広告主端末機によって要請された結果画面があるかを調査する段階と、
（Ｃ−２）前記広告主端末機によって要請された結果画面がある場合、データベースから抽出した結果画面を広告主端末機へ伝送する段階と、を含むことを特徴とする請求項１８に記載のキーワード監視方法。
【請求項２４】
前記（Ｃ−１）段階は、
（Ｃ−１１）前記広告主端末機によって要請された結果画面がない場合、サービスサーバが前記広告主端末機によって要請された結果画面を構成した後、前記（Ｃ−２）段階に移動する段階を更に含むことを特徴とする請求項２３に記載のキーワード監視方法。
【請求項２５】
前記（Ｃ−２）段階は、
（Ｃ−３）前記広告主端末機から追加資料要請があるかを調査する第３段階と、
（Ｃ−４）追加資料要請がある場合、データベースに要請された追加資料が格納されているかを調査する段階と、
（Ｃ−５）要請された追加資料が格納されている場合、データベースから格納された追加資料を抽出して結果画面を構成し、広告主端末機へ伝送する段階と、を更に含むことを特徴とする請求項２３に記載のキーワード監視方法。
【請求項２６】
前記（Ｃ−４）段階は、
（Ｃ−４１）要請された追加資料が格納されていなかった場合、検索サイトサーバに接続して要請された資料を収集し、前記（Ｃ−５）段階に移動する段階を更に含むことを特徴とする請求項２５に記載のキーワード監視方法。
【請求項２７】
前記（Ｄ）段階は、
（Ｄ−１）前記広告主端末機から返答文登録要請があるかを調査する段階と、
（Ｄ−２）前記返答文登録要請が存在する場合、返答文を登録する掲示板ホームページ住所を広告主端末機へ伝送し、前記広告主端末機が前記返答文を登録する掲示板ホームページ住所に移動する段階と、
（Ｄ−３）前記サービスサーバのデータベースに前記広告主端末機があらかじめ入力して格納された返答文内容があるかを調査する段階と、
（Ｄ−４）前記データベースに格納された返答文内容が存在する場合、格納された返答文内容を前記掲示板に返答文として登録する段階と、を含むことを特徴とする請求項１８に記載のキーワード監視方法。
【請求項２８】
前記（Ｄ−３）段階は、
（Ｄ−３１）前記データベースに格納された返答文内容が存在しない場合、前記広告主端末機から返答文を受信してデータベースに格納し,前記（Ｄ−４）段階に移動する段階を更に含むことを特徴とする請求項２７に記載のキーワード監視方法。
【請求項２９】
前記（Ｅ）段階は、
（Ｅ−１）前記広告主端末機から広告効果提供要請があるかを調査する段階と、
（Ｅ−２）前記（Ｅ−１）段階で広告効果提供要請が存在する場合、広告効果結果画面を生成して前記広告主端末機へ伝送する段階と、含むことを特徴とする請求項１９に記載のキーワード監視方法。
【発明の詳細な説明】
【技術分野】
【０００１】
本発明はキーワード広告監視/分析システムおよびこれを用いたキーワード監視/分析方法に関する。
【背景技術】
【０００２】
より詳細には、多様な検索サイトのキーワード入力窓を介して入力された特定キーワードに基づいて提供される広告の状態、広告費用などを自動に抽出して提供し、また商品の広告状態、商品評価内容などを自動に抽出し、これに対する適切な評価対応技術を提供するキーワード広告監視/分析システムおよびこれを用いたキーワード監視/分析方法に関する。
【０００３】
通信技術の発達に従って、多様な情報がインターネット網に代表されるネットワークを介して確認することができるようになった。このような情報を確認するためには、使用者が直接ＵＲＬ住所を入力するか、検索サイトを提供する検索サイトサーバに接続して確認することができる。この中、検索サイトサーバは、キーワード入力窓に使用者が知りたい情報に対するキーワードを入力することだけで、多様なサイトに対する接近が可能であって、広く利用されている。
【０００４】
一方、使用者が検索サイトサーバを介して入力するキーワードは、製品またはサービス購買のため利用される場合が多いので、広告主は、検索サイトの結果画面に広告主のホームページまたは連絡先が表示されることを望む場合が多く、これに伴い検索サイトは、所定の広告費を受けて広告契約を介して結果画面に広告主のホームページまたは連絡先を表示する。
【０００５】
この際、広告主は広告主が広告費を支払いながら遂行した広告が効果的に表示されているかを知らなければならない。すなわち、広告主は広告費が安い代わりに広告がほとんど表示されていないよりは、相対的に広告費が高くても特定キーワードに相対的に良い位置に広告主の広告が表示されて、効果的な広告遂行が行われることを望むようになる。このような広告の効率を点検するためには、広告主が直接キーワードを入力して、結果ページを確認しなければならない。
【０００６】
また、広告主が広告を出す商品（物品およびサービスを含む）の評価がウエブログ（ｗｅｂ  ｌｏｇ：または’ブログ’という）や掲示板などに掲示される場合が多く、このような掲示文等は商品の販売に決定的な影響を及ぼす場合が多いので、広告主は広告だけでなく、掲示板などに掲示された掲示文に対する監視も遂行する必要がある。
【０００７】
以下に添付された図１を参照して従来技術によるキーワード監視/分析システムを説明する。図１は、従来技術によるキーワード監視/分析システムの概略的な構成図を示す。広告主はコンピュータなどのような、広告主端末機４０を使って、インターネット３０に接続した後、多数の検索サイトサーバ２０からインターネット３０にアップロードした検索サイトに特定キーワードを入力して結果画面を受信する。広告主は一つの検索サイトから受信した結果画面より必要な資料をキャプチャーまたは記録した後、他の検索サイトで同じ段階を繰り返す。このような過程は、検索サイトの数分、反復される。
【０００８】
一方、広告主が特定キーワードでない、関連キーワードに対する監視を遂行しようとする場合には、検索サイトに関連キーワードまで入力して、結果を受信しなければならないので、作業量が多くて効率的な管理が行われていない問題があり、又多様なホームページに掲示された掲示文等を検索して、必要な返答文を登録するためには、いちいち修正作業で遂行しなければならないので、管理において面倒な問題が発生する。
【発明の開示】
【発明が解決しようとする課題】
【０００９】
本発明は前記した問題点を解決するため、導出されたものであって、多数の検索サイトで特定キーワードまたは特定キーワードと関連した類似キーワードの広告効果、商品の評価に対する返答文などを効率的に管理できる技術を提供するにその目的があり、他の目的としては、多数の検索サイトより特定キーワードまたは特定キーワードと関連した類似キーワードの広告費用、広告位置、広告効果などの資料を広告主端末機に提供する技術を提供することにその目的がある。
【課題を解決するための手段】
【００１０】
前述したような目的は、インターネットで連結された検索サイトサーバと、サービスサーバと、広告主端末機とから成るシステムにおいて、広告主端末機は、広告主によって管理され、広告主から特定キーワードが入力されるとサービスサーバへ特定キーワードを伝送して、特定キーワードと関連した情報を受けて表示し、サービスサーバに特定キーワードに関する掲示文登録代行を要請し、検索サイトサーバは、特定位置にキーワードを入力できるキーワード入力窓が形成されたサイト画面をインターネットでアップデートし、キーワード入力窓に入力された特定キーワードに対する文書およびサイトの情報の他に特定キーワードと関連した広告主の情報と、サイト画面に表示される広告の広告費用、期間および位置情報、特定キーワードに対する広告、ニュースおよび掲示板掲示文を検索および抽出して表示し、サービスサーバへ伝送し、サービスサーバは、検索サイトサーバのキーワード入力窓にキーワードを入力した結果を受信して格納し、データベースを構成して、広告主端末機の要請によりデータベースから結果画面を構成して、広告主端末機へ伝送することを特徴とするキーワード広告監視/分析システムを提供し、また、インターネットで連結された検索サイトサーバと、サービスサーバと、広告主端末機とから成るキーワード広告監視/分析システムを用いたキーワード広告分析方法において、（ａ）サービスサーバが、検索サイトサーバに接続して、検索サイトサーバのサイト画面に形成されたキーワード入力窓に特定キーワードを入力すると、入力された特定キーワードを用いて、特定キーワードに関連した結果画面を受信して資料を収集する資料収集段階と、（ｂ）サービスサーバによって、（ａ）段階で収集された資料をサービスサーバのデータベースに特定キーワード別に格納する資料データベース化段階と、（ｃ）広告主端末機から特定キーワードによる広告情報要請信号が受信されると、サービスサーバは、受信された特定キーワードを用いて、（ｂ）段階で特定キーワード別に格納された広告情報を検索および組み合わせて、広告主端末機へ伝送する資料提供段階と、（ｄ）広告主端末機が検索サイトサーバに特定キーワードによる表示する広告を申し込むと、サービスサーバは、特定キーワードによる広告を検索サイトサーバに接続して広告を申し込む広告申請段階と、を含むことを特徴とするキーワード広告分析方法を提供し、さらに、インターネットで連結された検索サイトサーバと、サービスサーバと、広告主端末機とから成るキーワード広告分析システムを用いたキーワード監視方法において、（Ａ）サービスサーバが検索サイトサーバに接続して、検索サイトサーバのサイト画面に形成されたキーワード入力窓に特定キーワードを入力し、結果画面を受信して資料を収集する資料収集段階と、（Ｂ）（Ａ）段階で収集された資料をデータベースとして構成する資料データベース化段階と、（Ｃ）広告主端末機の要請により、（Ｂ）段階で構成されたデータベースの資料を加工して、提供する資料提供段階と、（Ｄ）広告主端末機がサービスサーバを介してキーワードを含んだ掲示板に返答文を登録する返答文登録段階と、を含むことを特徴とするキーワード監視方法を提供することで達���される。
【発明の効果】
【００１１】
前述した通り、本発明によれば、広告主が多数の検索サイトに多数のキーワードに対する監視を遂行しようとする場合、統合された結果画面を広告主端末機に提供して便利なキーワード監視が可能な効果があり、他の効果では、広告主が多数の検索サイトに多数のキーワードを使う広告の費用、時間などを確認しようとする場合、統合された結果画面を広告主端末機に提供して便利な広告執行が可能な効果があり、また他の効果では、広告主に競争会社の広告現況を提供することで、広告主が競争会社より有利な立場および位置で広告を遂行できる効果がある。
【発明を実施するための最良の形態】
【００１２】
以下、図面を参照して、本発明の望ましい、一実施例に係るキーワード監視/分析システムとこれを用いたキーワード監視/分析方法をより具体的に説明する。
【００１３】
以下で本発明を説明するにおいて、関連した公知機能または構成に対する具体的な説明が本発明の要旨を不明確にすると判断される場合には、その詳細な説明は省略される。また、後述される用語は、本発明での機能を考慮して設定された用語であって、これらの用語は製品を生産する生産者の意図または慣例によって変わることができ、用語の定義は本明細書全般にわたった内容に基づいてなされるべきである。
【００１４】
図２は、本発明の望ましい一実施例に係るキーワード広告監視/分析システムの構成図を示す。図３は、本発明の一実施例に係るサービスサーバのデータベース構成を示す図面である。図２および図３を参照して、本発明の望ましい一実施例に係るキーワード広告監視/分析システムを、より具体的に説明する。
【００１５】
図示したように、本実施例に係るキーワード広告監視/分析システム１００は、インターネット１２０を介して相互連結された検索サイトサーバ１１０、サービスサーバ１５０および広告主端末機１３０、を含んで構成される。
【００１６】
広告主端末機１３０は、多様なコンテンツを提供する広告主が管理する端末機であって、通信機能を持つコンピュータ、ＰＤＡ、携帯電話などが含まれ、広告主端末機１３０に特定キーワードを入力することで、特定キーワードに関連された広告情報をサービスサーバ１５０から受けて、広告主にディスプレーされ、また、広告主から特定キーワードが入力されると、サービスサーバ１５０へ特定キーワードを伝送して、特定キーワードと関連した情報を受けて表示し、上記広告主の要請によりサービスサーバ１５０で特定キーワードに関する広告申請を要請するか掲示文などに掲示された返答文を要請する機能を遂行する。
【００１７】
検索サイトサーバ１１０は、インターネットを介して検索サービスを提供するサーバであって、検索サイト情報などを格納しておいて、インターネット１２０を介して検索結果を使用者に提供するサイト画面を提供し、検索サイトサーバ１１０は、特定位置にキーワードを入力することができるキーワード入力窓が形成されたサイト画面をインターネットでアップデート（ｕｐｄａｔｅ）し、キーワード入力窓に入力された特定キーワードに対する文書およびサイトの情報の他に特定キーワードと関連した広告主の情報とサイト画面に表示される広告の広告費用、期間および位置情報を共に表示して、サービスサーバ１５０にも伝送することになる。
【００１８】
サービスサーバ１５０は、検索サイトサーバ１１０とインターネット１２０で連結されて、検索サイトサーバ１１０を介して特定キーワードに関する広告情報を収集して提供し、特定キーワードに対する広告申請および返答文登録を遂行するサーバであって、検索サイトサーバ１１０でキーワード入力窓に特定キーワードを入力して、特定キーワードと関連した情報を収集または要請して、その結果を受けて格納して、データベース１６０とデータベース１７０を構成し、広告主端末機１３０の要請によりデータベース１６０とデータベース１７０から結果画面を構成して、広告主端末機１３０に伝送する。
【００１９】
サービスサーバ１５０のデータベース１６０は、キーワード広告監視情報を提供するため、図３ａに示したように、検索サイトを表す検索サイト識別コード１６１、キーワードを表すキーワード識別コード１６２、上記キーワードに関する広告現況を表す広告現況識別コード１６４、上記キーワードに関するニュース資料を表すニュース資料識別コード１６５、上記キーワードを含む内容が含まれた文が介在される掲示板種類を表す掲示板種類識別コード１６６、上記キーワードを含む内容が含まれた文のホームページ住所を表す掲示板資料識別コード１６７、上記キーワードと関連した意味を持つ類似キーワードを表す類似キーワード連結コード１６３および上記キーワードを含む内容が含まれた文に対して広告主が準備したコンテンツ資料を表す広告主返答文コード１６８の中、いずれか一つ以上を含んでデータベースを構築する。また、サービスサーバ１５０のデータベース１７０は、特定キーワード分析のため、図３ｂに示したように、検索サイトを表す検索サイト識別コード１７１、キーワードを表すキーワード識別コード１７２、キーワードと関連した意味を持つ類似キーワードを表す類似キーワード連結コード１７３、広告の種類を表す広告種類識別コード１７４、広告可能か否かを表す広告可能如何識別コード１７５、広告可能期間を表す広告可能期間識別コード１７６、広告価格を表す広告価格情報識別コード１７７およびキーワードまたは類似キーワードで検索サイトサーバに広告中の競争会社の広告現況を表す競争会社広告現況データ１７８の中、いずれか一つ以上を含んで、構築することになる。
【００２０】
以下、図面を参照して、本発明の他の望ましい一実施例によって、キーワード監視/分析システムを用いたキーワード監視/分析方法を、より具体的に説明する。
【００２１】
図４は、本発明の他の望ましい一実施例に係るキーワード監視/分析方法を表すフローチャートである。図５は、図４で資料収集段階の細部フローチャートである。図６は、図４で資料提供段階の細部フローチャートである。図７は、図４で返答文登録段階の細部フローチャートである。図８は、図４で広告申請段階の細部フローチャートである。図９は、図４で管理段階の細部フローチャートである。
【００２２】
図４乃至図９を参照して、より具体的に説明すると、図４に示したように、本発明の実施例に係るキーワード広告監視/分析方法は、インターネット１２０を介して相互連結された検索サイトサーバ１１０、サービスサーバ１５０と、広告主端末機１３０を含むキーワード広告監視/分析システムによって、資料収集段階（Ｓ１００）、資料データベース化段階（Ｓ２００）、資料提供段階（Ｓ３００）、返答文登録段階および/または広告申請段階（Ｓ４００）、管理段階（Ｓ５００）が実行される。
【００２３】
資料収集段階（Ｓ１００）は、サービスサーバ１５０が検索サイトサーバ１１０に接続して、検索サイトサーバ１１０のサイト画面に形成されたキーワード入力窓に特定キーワードを入力すると、特定キーワードに関連された結果画面を検索サイトサーバ１１０から受信して、資料を収集する段階である。
【００２４】
図５を参照して、資料収集段階（Ｓ１００）をより詳細に説明すると、サービスサーバ１５０が検索サイトサーバ１１０より提供する検索サイトに接続して（Ｓ１１０）、検索サイトのキーワード入力窓に特定キーワードを入力すると（Ｓ１２０）、検索サイトサーバ１１０は、特定キーワードと関連した広告情報を検索および抽出して、サービスサーバ１５０に伝送するようになり、サービスサーバ１５０は、検索サイトサーバ１１０のデータベースで検索した特定キーワード関連広告情報を受信して格納する（Ｓ１３０）。
【００２５】
もし、Ｓ１３０段階を遂行した後、サービスサーバ１５０がＳ１２０段階で入力した特定キーワードの類似キーワードを検索するかを調査して、類似キーワードを検索する場合、Ｓ１２０段階に復帰し、類似キーワードを検索しない場合、終了する。
【００２６】
資料データベース化段階（Ｓ２００）は、資料収集段階（Ｓ１００）で収集された資料をサービスサーバ１５０のデータベースとして構成する段階である。すなわち、サービスサーバ１５０は、受信された広告情報でデータベース１６０を構築するが、キーワード広告監視情報またはキーワード広告分析情報を提供するため、図３ａに示したように、検索サイトを表す検索サイト識別コード１６１、キーワードを表すキーワード識別コード１６２、キーワードに関する広告現況を表す広告現況識別コード１６４、上記キーワードに関するニュース資料を表すニュース資料識別コード１６５、上記キーワードを含む内容が含まれた文が介在される掲示板種類を表す掲示板種類識別コード１６６、上記キーワードを含む内容が含まれた文のホームページ住所を表す掲示板資料識別コード１６７、上記キーワードと関連した意味を持つ類似キーワードを表す類似キーワード連結コード１６３および上記キーワードを含む内容が含まれた文に対して広告主が準備したコンテンツ資料を表す広告主返答文コード１６８の中、いずれか一つ以上を含んでデータベースを構築する。また、サービスサーバ１５０は、図３ｂに示したように、検索サイトを表す検索サイト識別コード１７１、キーワードを表すキーワード識別コード１７２、キーワードと関連した意味を持つ類似キーワードを表す類似キーワード連結コード１７３、広告の種類を表す広告種類識別コード１７４、広告可能か否かを表す広告可能如何識別コード１７５、広告可能如何を表す広告可能如何識別コード１７５、広告可能期間を表す広告可能期間識別コード１７６、広告価格を表す広告価格情報識別コード１７７およびキーワードまたは類似キーワードで検索サイトサーバに広告中の競争会社の広告現況を表す競争会社広告現況データ１７８の中、いずれか一つ以上を含むデータベース１７０を構築することになる。
【００２７】
資料提供段階（Ｓ３００）は、広告主によって入力された特定キーワードに関するキーワード監視/分析要請情報が広告主端末機を介して要請されると、サービスサーバ１５０が受信された特定キーワードを用いて、サービスサーバ１５０のデータベース１６０またはデータベース１７０で検索および組み合わせて広告主端末機１３０に提供する段階である。
【００２８】
図６を参照して、資料提供段階（Ｓ３００）を、より具体的に説明すると、サービスサーバ１５０が広告主端末機１３０から特定キーワードに関するキーワード監視/分析要請情報が受信されると、上記特定キーワードに関する広告情報をデータベース１６０またはデータベース１７０で検索および組み合わせて、要請した結果画面があるかを調査する（Ｓ３１０）。
【００２９】
もし、広告主端末機１３０が要請した特定キーワードに関する結果画面がある場合、データベース１６０またはデータベース１７０から抽出した結果画面を広告主端末機１３０へ伝送する（Ｓ３２０）。
【００３０】
もし、広告主端末機１３０が要請した特定キーワードに関する結果画面がない場合、サービスサーバ１５０が、広告主端末機１３０が要請した結果画面を構成した後、構成した結果画面を広告主端末機１３０へ伝送する（Ｓ３１５）。
【００３１】
上記過程を経た後、広告主端末機１３０から追加資料要請があるかを調査して（Ｓ３３０）、追加資料要請がある場合、サービスサーバ１５０のデータベース１６０またはデータベース１７０で要請された追加資料が格納されているか調査する（Ｓ３４０）。
【００３２】
もし、要請された追加資料が格納されている場合、サービスサーバ１５０のデータベース１６０またはデータベース１７０から格納された追加資料を抽出して、結果画面を構成し、広告主端末機へ伝送する（Ｓ３５０）。
【００３３】
もし、要請された追加資料が格納されていなかった場合、検索サイトサーバ１１０に接続して要請された資料を収集し、結果画面を構成し、広告主端末機１３０へ伝送する（Ｓ３４５）。
【００３４】
返答文登録段階および/または広告申請段階（Ｓ４００）は、広告主端末機１３０がサービスサーバ１５０を介して特定キーワードが含まれた掲示文に対する対応文を広告主の要請により該当掲示板に返答文を登録したり、広告主端末機１３０がサービスサーバ１５０を介して検索サイトサーバ１１０に表示する広告を申し込む段階である。
【００３５】
図７を参照して、上記返答文登録段階（Ｓ４００）を、より具体的に説明すると、サービスサーバ１５０は、広告主端末機１３０から返答文登録要請があるかを調査して（Ｓ４１０）、返答文登録要請がある場合、返答文を登録する掲示板ホームページ住所を広告主端末機１３０へ伝送して、広告主端末機１３０が返答文を登録する掲示板ホームページ住所へ移動する（Ｓ４２０）。
【００３６】
サービスサーバ１５０のデータベース１６０またはデータベース１７０に広告主端末機１３０が広告主によって、あらかじめ入力して格納された返答文内容があるかを調査する（Ｓ４３０）。
【００３７】
サービスサーバ１５０のデータベース１６０またはデータベース１７０に格納された返答文内容が存在する場合、格納された返答文内容を掲示板に返答文として登録する（Ｓ４４０）。
【００３８】
もし、データベースに格納された返答文内容が存在しない場合、上記広告主から入力された返答文を広告主端末機１３０から受信して、データベース１６０またはデータベース１７０に格納し、返答文内容を掲示板に返答文として登録する（Ｓ４３５）。
【００３９】
図８を参照して、広告申請段階（Ｓ４００）を、より具体的に説明すると、サービスサーバ１５０が広告主端末機１３０から特定キーワードに関する広告申請要請があるかを調査し（Ｓ４１０）、また広告主端末機１３０から類似キーワード広告もするかを調査する（Ｓ４２０）。
【００４０】
もし、広告主端末機１３０から類似キーワード広告をすると選択する場合、類似キーワードを広告主端末機１３０に提示し、類似キーワード広告をしないと選択する場合、広告種類の選択を受信する（Ｓ４２２）。
【００４１】
広告主端末機１３０に提示された類似キーワードの中、広告主によって選択された類似キーワードを広告主端末機１３０から受けて広告種類の選択を受信する（Ｓ４２４）。
【００４２】
もし、類似キーワード広告を選択しなければ、広告主端末機１３０から広告種類の選択を受信する（Ｓ４３０）。
【００４３】
上記選択された広告に対する費用を算出して、広告主端末機１３０へ伝送し（Ｓ４４０）、広告主端末機１３０から広告申請承認を受信する（Ｓ４５０）。
【００４４】
広告主端末機１３０から広告申請承認を受信すると、サービスサーバ１５０は、上記特定キーワードに関する広告申請情報を検索サイトサーバ１１０へ伝送する（Ｓ４６０）。
【００４５】
管理段階（Ｓ５００）は、返答文登録段階または広告申請段階を遂行した後、広告主端末機１３０がサービスサーバ１５０に競争会社の広告現況または広告効果結果を提供受ける段階である。
【００４６】
図９を参照して、管理段階を、より具体的に説明すると、サービスサーバ１５０は、広告主端末機１３０から競争会社広告現況提供要請があるかを調査する（Ｓ５１０）。
【００４７】
もし、競争会社広告現況提供要請が存在する場合、サービスサーバ１５０は、広告主端末機１３０に競争会社広告現況を提供する（Ｓ５２０）。
【００４８】
サービスサーバ１５０は、広告主端末機１３０に競争会社広告現況を提供した後、広告主端末機１３０から競争会社と広告競争をするかを調査する（Ｓ５３０）。
【００４９】
もし、サービスサーバ１５０が、競争会社と広告競争をすると受信した場合、広告主端末機１３０から広告費用限界設定を受信し、上記広告申請段階に復帰する（Ｓ５３５）。
【００５０】
もし、競争会社と広告競争をしないと受信した場合、サービスサーバ１５０は、広告主端末機１３０から広告効果提供要請があるかを調査する（Ｓ５４０）。
【００５１】
もし、広告効果提供要請が存在する場合、広告効果結果画面を生成して、広告主端末機１３０へ伝送する（Ｓ５５０）。
【００５２】
以下、図面を参照して、キーワード分析方法の一実施例について説明する。図１０は、本発明の一実施例に係るキーワードの関連/拡張キーワード結果画面を示したものである。図１１は、本発明の一実施例に係るキーワードの１次関連キーワードと２次関連キーワードの提案画面を示したものである。図１２は本発明の一実施例に係るキーワードのＣＰＣ関連キーワード結果画面を示したものである。図１３は、本発明の一実施例に係るキーワードのインベントリー調査画面を示したものである。
【００５３】
図１４は、本発明の一実施例に係る販売可能リアルタイムインベントリー調査画面を示したものである。図１５は、本発明の一実施例に係る競争会社広告現況結果画面を示したものである。図１６は、本発明の一実施例に係る特定競争会社広告現況画面を示したものである。図１７は、本発明の一実施例に係る特定キーワード広告現況画面を示したものである。
【００５４】
本実施例は、サービスサーバ１５０が多数の検索サイトに接続して、検索ロボットのように資料を収集して、データベース１６０またはデータベース１７０に格納したものと仮定する。検索ロボットは、ニュースロボットなどに広く適用される技術であって、本発明の要旨とあまり関係がないので、詳細な説明は省略する。また、キーワードとして使われる単語は、’貸し出し’であると仮定する。
【００５５】
広告主は広告主端末機１３０を使って、サービスサーバ１５０に接続する。サービスサーバ１５０で提供するホームページのキーワード入力窓に広告主端末機を介して検索しようとするキーワード’貸し出し’を入力する。
【００５６】
サービスサーバ１５０は入力されたキーワード’貸し出し’に対し、データベース１６０またはデータベース１７０で資料を抽出して、結果画面を提供する。この際、提供される結果画面は、図１０乃至図１７に示したように、広告主端末機１３０の要請に従う多様な結果画面が提供される。
【００５７】
すなわち、図１０と図１１に示したように、キーワード’貸し出し’に対して、類似キーワードの１次および２次関連キーワードと拡張キーワードを結果画面に提供して、広告主が'貸し出し'以外に他のキーワードで広告を選択することができるように助ける。
【００５８】
また、図１２に示したように、キーワードに対するＣＰＣ（Ｃｏｓｔ  Ｐｅｒ  Ｃｌｉｃｋ）キーワードを表示し、こられのキーワードの価格現況を一つの画面に表わして、広告主がＣPＣ広告に対する予想所要費用などを確認できるように助ける。
【００５９】
また、図１３と図１４に示したように、キーワードと関連したインベントリー（広告位置）情報と価格情報を表示して、広告主がインベントリー広告をしようとする場合、便宜を提供することになる。
【００６０】
また、図１５乃至図１７に示したように、競争会社の広告現況を共に提供して、広告主が競争会社の広告現況を簡単に把握して、広告主が競争会社より広告効果の高いインベントリー広告を遂行できるように助ける。
【００６１】
以下、図面を参照して、キーワード監視方法の一実施例について説明する。広告主は広告主端末機１３０を使って、サービスサーバ１５０に接続する。サービスサーバ１５０から提供するホームページのキーワード入力窓に広告主端末機１３０を介して検索しようとするキーワード’花配達’を入力する。
【００６２】
サービスサーバ１５０は、入力されたキーワード’花配達’に対して、データベース１６０またはデータベース１７０で資料を抽出して、結果画面を提供する。この際サービスサーバ１５０が提供する結果画面には、’花配達’に対する広告位置、広告クリック率、花配達というキーワードが入ったニュース資料リンク、花配達というキーワードが入った掲示板リンクなどが表示されることができる。
【００６３】
一方、この際表示される項目は、広告主端末機１３０の要請によって、適切に、調整されることもできることに留意する。広告主が広告主端末機１３０を介して結果画面を確認した後、必要な返答文を付けようとする場合には、結果画面で対象リンクを選択する。リンクに従ってホームページを移動した後、広告主端末機１３０を介して必要な返答文を作成して、登録する。この際、あらかじめ準備された返答文や資料などが存在する場合には、これらの資料を呼び出して、返答文として登録することもできる。また、悪意の商品評が存在する場合には、悪意の商品評を掲示した使用者のアカウント情報などを、例えば、データベース１６０またはデータベース１７０に格納して、必要な管理作業を遂行することもできる。
【００６４】
以上より、本発明の実施例を添付した図面を参照として記述した。本発明は前述した実施例にのみ別に限定されるのではなく、必要により、当業者によって、添付された請求範囲の技術思想内で、多様な修正および変更が可能であることに留意しなければならない。
【図面の簡単な説明】
【００６５】
【図１】従来技術によるキーワード監視/分析システムの構成図である。
【図２】本発明の望ましい一実施例に係るキーワード広告監視/分析システムの構成図である。
【図３ａ−ｂ】本発明の一実施例に係るサービスサーバのデータベース構成を示す図面である。
【図４】本発明の他の望ましい一実施例に係るキーワード監視／分析方法を表すフローチャートである。
【図５】図４で資料収集段階の細部フローチャートである。
【図６】図４で資料提供段階の細部フローチャートである。
【図７】図４で返答文登録段階の細部フローチャートである。
【図８】図４で広告申請段階の細部フローチャートである。
【図９】図４で管理段階の細部フローチャートである。
【図１０】本発明の一実施例に係るキーワードの関連／拡張キーワード結果画面を示したものである。
【図１１】本発明の一実施例に係るキーワードの１次関連キーワードと２次関連キーワードの提案画面を示したものである。
【図１２】本発明の一実施例に係るキーワードのＣＰＣ関連キーワード結果画面を示したものである。
【図１３】本発明の一実施例に係るキーワードのインベントリー調査画面を示したものである。
【図１４】本発明の一実施例に係る販売可能リアルタイムインベントリー調査画面を示したものである。
【図１５】本発明の一実施例に係る競争会社広告現況結果画面を示したものである。
【図１６】本発明の一実施例に係る特定競争会社広告現況画面を示したものである。
【図１７】本発明の一実施例に係る特定キーワード広告現況画面を示したものである。
【符号の説明】
【００６６】
１０  広告監視／分析システム
２０  検索サイトサーバ
３０  インターネット
４０  広告主端末機
１００  広告監視／分析システム
１１０  検索サイトサーバ
１２０  インターネット
１３０  広告主端末機
１５０  サービスサーバ
１６０  データベース
１６１  検索サイト識別コード
１６２  キーワード識別コード
１６３  類似キーワード連結コード
１６４  広告現況識別コード
１６５  ニュース資料識別コード
１６６  掲示板種類識別コード
１６７  掲示板資料識別コード
１６８  広告主返答文コード
１７０  データベース
１７１  検索サイト識別コード
１７２  キーワード識別コード
１７３  類似キーワード連結コード
１７４  広告種類識別コード
１７５  広告可能如何識別コード
１７６  広告可能期間識別コード
１７７  広告価格情報識別コード
１７８  競争会社広告現況データ
【図１】
2008186442.tif 000003
【図２】
2008186442.tif 000004
【図３ａ−ｂ】
2008186442.tif 000005
【図４】
2008186442.tif 000006
【図５】
2008186442.tif 000007
【図６】
2008186442.tif 000008
【図７】
2008186442.tif 000009
【図８】
2008186442.tif 000010
【図９】
2008186442.tif 000011
【図１０】
2008186442.tif 000012
【図１１】
2008186442.tif 000013
【図１２】
2008186442.tif 000014
【図１３】
2008186442.tif 000015
【図１４】
2008186442.tif 000016
【図１５】
2008186442.tif 000017
【図１６】
2008186442.tif 000018
【図１７】
2008186442.tif 000019